(57)【要約】【課題】釣りに際して、ハリス止め部の突起部に水中糸や玉網が引っ掛かるおそれを小さくできるとともに、針ハリスの取り付けが容易な仕掛け具を提供する。【解決手段】仕掛け具５は、突状部１８が設けられた逆針１０と、筒状部２０と、ハリス止め部３０とを有し、ハリス止め部３０は、１つの線条材により形成され、中子部３２と、突起部４０と、ハリス止め本体部３６とを有し、ハリス止め本体部３６における棒状部５６−２と棒状部６０間に針ハリスが挟まれて使用される。突起部４０が設けられていることにより、突起部６４に水中糸や玉網が引っ掛かるのを防止でき、針ハリスの取付けを容易とすることができる。【選択図】図１
2015139381.tif 000002
【特許請求の範囲】
【請求項１】
魚釣り用の仕掛け具であって、
筒状を呈する筒状部（２０）と、
逆針であって、先端が尖った形状を有する本体部（１２）と、該本体部の後端部から連設された突状部で、本体部の後端部の側方に突出した突状部（１８）と、を有し、本体部の後端側が筒状部に挿通され、本体部の先端側が筒状部の先端から露出した逆針（１０）と、
ハリス止め部（３０）と、
を有し、
上記ハリス止め部が、
筒状部に挿通された中子部（３２）と、
中子部の後端から連設されるとともに筒状部の後端から露出して形成され、中子部の後端から後方への中子部の延長線で筒状部の軸線方向の延長線に対して鋭角に屈曲した方向に形成された第１突起部（４０）と、
中子部の後端から連設されるとともに筒状部の後端から露出して形成され、第１突起部と同一平面方向である特定平面方向に沿って線条材により形成されたハリス止め本体部で、
中子部の後端から連設された基端部で、少なくとも中子部側とは反対側の後端側において略直線状の棒状に形成された本体部第１棒状部（５６−２）を有するとともに、中子部側である先端側において第１突起部との間で後端側に行くほど第１突起部との間の距離が長くなるように形成された基端部（５６）と、
本体部第１棒状部の中子部側とは反対側の端部から連設され、第１突起部側に折り返し状に形成された本体部折り返し部（５８）と、
本体部折り返し部の基端部側とは反対側の端部から連設された本体部第２棒状部で、本体部第１棒状部に沿って略直線状の棒状に形成された本体部第２棒状部（６０）と、
本体部第２棒状部の本体部折り返し部側とは反対側の端部から連設された第２突起部で、先端側にいくほど本体部第１棒状部との間の距離が長くなるように本体部第２棒状部に対して屈曲して形成され、その先端と第１突起部との間に間隔が形成された第２突起部（６４）とを有するハリス止め本体部（３６）と、を有し、
逆針の突状部は、中子部の後端位置における第１突起部と基端部との間の位置に係止されていることを特徴とする仕掛け具。
【請求項２】
ハリス止め本体部の基端部が、中子部の後端から連設され、略直線状の棒状に形成された本体部第３棒状部で、中子部に対して、筒状部の軸線方向に対する第１突起部の屈曲方向と反対側に屈曲して形成された本体部第３棒状部（５６−１）を有し、本体部第３棒状部が、第１突起部との間で後端側に行くほど距離が長く形成され、本体部第１棒状部は、筒状部の軸線方向に対する角度が本体部第３棒状部の筒状部の軸線方向に対する角度より小さくなるように、本体部第３棒状部の中子部側とは反対側の端部から本体部第３棒状部に対して屈曲して形成され、本体部第１棒状部及び本体部第２棒状部は、筒状部の軸線方向と略平行に形成されていることを特徴とする請求項１に記載の仕掛け具。
【請求項３】
ハリス止め本体部の基端部が、全体に略直線状の棒状に形成され、基端部が、中子部に対して、筒状部の軸線方向に対する第１突起部の屈曲方向と反対側に屈曲して形成され、基端部の本体部折り返し部側の部分が、本体部第１棒状部であることを特徴とする請求項１に記載の仕掛け具。
【請求項４】
中子部が、基端部の先端から連設され、略直線状の棒状に形成された中子部第１棒状部（４２）と、中子部第１棒状部の先端側から折り返し状に形成された中子部折り返し部（４４）と、中子部折り返し部から連設され、中子部第１棒状部に沿って形成された中子部第２棒状部（４６）とを有し、中子部第１棒状部と中子部第２棒状部とが上記特定平面方向に沿って形成され、中子部第２棒状部の後端から第１突起部が連設され、中子部と第１突起部とハリス止め本体部とが１つの線条材により形成されていることを特徴とする請求項１又は２又は３に記載の仕掛け具。
【請求項５】
筒状部が柔軟性のある部材により形成されていることを特徴とする請求項１又は２又は３又は４に記載の仕掛け具。
【請求項６】
魚釣り用の仕掛け具であって、
筒状を呈し、柔軟性のある部材により形成されている筒状部（２０）と、
逆針であって、先端が尖った形状を有する本体部（１２）と、該本体部の後端部から連設された突状部で、本体部の後端部の側方に突出した突状部（１８）と、を有し、本体部の後端側が筒状部に挿通され、本体部の先端側が筒状部の先端から露出した逆針（１０）と、
ハリス止め部（３０）と、
を有し、
上記ハリス止め部が、
筒状部に挿通された中子部で、略直線状の棒状に形成された中子部第１棒状部（４２）と、中子部第１棒状部の先端側から折り返し状に形成された中子部折り返し部（４４）と、中子部折り返し部から連設され、中子部第１棒状部に沿って略直線状の棒状に形成された中子部第２棒状部（４６）とを有する中子部（３２）と、
中子部第２棒状部の後端から連設されるとともに筒状部の後端から露出して形成され、中子部第２棒状部の後端から後方への中子部第２棒状部の延長線に対して鋭角に中子部第２棒状部に対して屈曲して形成された第１突起部（４０）と、
中子部第１棒状部の後端から連設されるとともに筒状部の後端から露出して形成されたハリス止め本体部で、
中子部第１棒状部の後端から連設された基端部で、本体部第１棒状部（５６−２）と本体部第２棒状部（６０）と本体部第３棒状部（５６−１）と本体部折り返し部（５８）と第２突起部（６４）とを有し、
本体部第３棒状部が、中子部第１棒状部の後端から略直線状の棒状に連設され、中子部第１棒状部の後端から後方への中子部第１棒状部の延長線に対して第１突状部の屈曲方向と反対側に屈曲して形成され、本体部第３棒状部が、第１突起部との間で後端側に行くほど第１突起部との間の距離が長くなるように形成され、
本体部第１棒状部は、本体部第３棒状部の中子部側とは反対側の端部から略直線状の棒状に形成され、筒状部の軸線方向に対する角度が本体部第３棒状部の筒状部の軸線方向に対する角度より小さくなるように本体部第３棒状部に対して屈曲して形成され、
本体部折り返し部が、本体部第１棒状部の第３棒状部側とは反対側の端部から連設され、第１突起部側に折り返し状に形成され、
本体部第２棒状部が、本体部折り返し部の本体部第１棒状部側とは反対側の端部から連設され、本体部第１棒状部に沿って略直線状の棒状に形成され、
第２突起部が、本体部第２棒状部の本体部折り返し部側とは反対側の端部から連設され、先端側にいくほど本体部第１棒状部との間の距離が長くなるように本体部第２棒状部に対して屈曲して形成され、第２突起部の先端と第１突起部との間に間隔が形成され、
本体部第１棒状部及び本体部第２棒状部は、筒状部の軸線方向と略平行に形成されているハリス止め本体部（３６）と、を有し、
ハリス止め部が１本の線条材により形成され、中子部と第１突起部とハリス止め本体部とが同一平面方向に沿って形成され、
逆針の突状部は、中子部の後端位置における第１突起部と本体部第３棒状部との間の位置に係止されていることを特徴とする仕掛け具。
【発明の詳細な説明】
【技術分野】
【０００１】
本発明は、魚釣り用の仕掛け具に関するものであり、特に、鮎の友釣りに使用する逆針を有する仕掛け具に関するものである。
【背景技術】
【０００２】
従来より、鮎を対象魚とする釣法の一つとして友釣りが知られている。友釣りとは、仕掛けに取り付けたおとり鮎を釣り対象である野鮎の縄張り内で遊泳させ、鮎が有する習性（自身の縄張り内に侵入してきた他の個体を後方から追い立て、縄張り外に追い払おうとする習性）を利用し、おとり鮎に牽引させた掛け針で野鮎を引っ掛けて釣り上げる釣法であり、その仕掛けとしては、以下のものが一般的である。
【０００３】
つまり、当該仕掛けは、釣り竿に連結された天井糸と、天井糸の先端部に連結された水中糸と、水中糸の先端部に連結された中ハリスと、中ハリスにおける水中糸側にて中ハリス途中から分岐状に設けられたツマミ糸を介して連結され、おとり鮎の鼻部付近に取り付けられる鼻カンと、中ハリスの先端部に連結された仕掛け具とを有し、該仕掛け具は、中ハリスが固定される軸部と、軸部の一方の端部から連設され、おとり鮎の尻びれの付け根付近に刺し止めされる逆針と、軸部の他方の端部から連設されたハリス止め部とを有し、ハリス止め部には、上記掛け針が連結された針ハリスが取り付けられている。
【０００４】
ハリス止め部としては、例えば、下記特許文献１の図１、下記特許文献２の図１に示されているように、仕掛け具における他方側の端部を折り返してヘアピン状に形成することにより、ハリスを挟持可能としたものが存在する。
【０００５】
つまり、このヘアピン状のハリス止め部（特許文献１においては、図中右端に示された部分で、棒状部材を折り重ねて形成した部分の全体である「糸取着部１６」であり、特許文献２においては、図中右端に示された部分で、棒状部材を折り重ねて形成した部分の全体である「ハリス止１４」で、左右方向に伸びる直線状の部分の右端から、右側上方傾斜状に伸びている部分の全体）は、軸部（特許文献１において、軸１２における糸取着部１６と重なっていない部分、特許文献２において、軸部１１における折返し部１４ａと重なっていない部分）の右端から延設された第１直棒部（特許文献１において、糸取着部１６と重なった部分、特許文献２において、折返し部１４ａと重なった部分）と、第１直棒部から連設され、略半円弧形状を呈する折り返し部と、折り返し部から連設され第１直棒部と重なった部分である第２直棒部（特許文献１において、糸取着部１６における折曲端部１６ａ以外の部分、特許文献２において、折返し部１４ａにおける先端の突起を除く部分）と、第２直棒部の左端から傾斜している突起部（特許文献１においては、折曲端部１６ａ、特許文献２においては、折返し部１４ａの先端の突起）と、を有しており、この突起部と、軸部（又は第１直棒部）とにより挟まれた空間が、第１直棒部と第２直棒部との間に針ハリスをスムーズに導入するための案内空間部となっており、これにより、針ハリスの取り付けが容易化されている。
【０００６】
また、出願人は、特許文献３の仕掛け具について出願を行っている。
【先行技術文献】
【特許文献】
【０００７】
【特許文献１】特開２００８−１４８６０８号公報
【特許文献２】特開平１１−４２０２９号公報
【特許文献３】特願２００３−３７９６２９号公報
【発明の概要】
【発明が解決しようとする課題】
【０００８】
しかし、特許文献１及び特許文献２に記載のものにあっては、野鮎を釣り上げた際に、水中糸がハリス止めの突起部に引っ掛かって、第１直棒部と第２直棒部の間に挟まったり、釣り上げた野鮎を玉網で取り込む際、網糸が、釣り人の意に反して、ハリス止め部の突起部に引っ掛かり、玉網の網糸が第１直棒部と第２直棒部との間に入り込んで、網糸が絡まることにより玉網が破れる等の不具合が発生するという問題があった。
【０００９】
また、特許文献１及び特許文献２においては、突起部と逆針の先端との間に何も設けられていないため、突起部と軸部間の空間内にハリスを案内して第１直棒部と第２直棒部間にハリスを通そうとした際に、誤って逆針の先端により指を負傷するおそれがあり、ハリスを容易に取り付けることができないという問題があった。
【００１０】
そこで、本発明は、釣りに際して、ハリス止め部の突起部に水中糸や玉網が引っ掛かるおそれを小さくできるとともに、針ハリスの取り付けが容易な仕掛け具を提供することを目的とする。
【課題を解決するための手段】
【００１１】
本発明は上記問題点を解決するために創作されたものであって、第１には、魚釣り用の仕掛け具であって、筒状を呈する筒状部（２０）と、逆針であって、先端が尖った形状を有する本体部（１２）と、該本体部の後端部から連設された突状部で、本体部の後端部の側方に突出した突状部（１８）と、を有し、本体部の後端側が筒状部に挿通され、本体部の先端側が筒状部の先端から露出した逆針（１０）と、ハリス止め部（３０）と、を有し、上記ハリス止め部が、筒状部に挿通された中子部（３２）と、中子部の後端から連設されるとともに筒状部の後端から露出して形成され、中子部の後端から後方への中子部の延長線で筒状部の軸線方向の延長線に対して鋭角に屈曲した方向に形成された第１突起部（４０）と、中子部の後端から連設されるとともに筒状部の後端から露出して形成され、第１突起部と同一平面方向である特定平面方向に沿って線条材により形成されたハリス止め本体部で、中子部の後端から連設された基端部で、少なくとも中子部側とは反対側の後端側において略直線状の棒状に形成された本体部第１棒状部（５６−２）を有するとともに、中子部側である先端側において第１突起部との間で後端側に行くほど第１突起部との間の距離が長くなるように形成された基端部（５６）と、本体部第１棒状部の中子部側とは反対側の端部から連設され、第１突起部側に折り返し状に形成された本体部折り返し部（５８）と、本体部折り返し部の基端部側とは反対側の端部から連設された本体部第２棒状部で、本体部第１棒状部に沿って略直線状の棒状に形成された本体部第２棒状部（６０）と、本体部第２棒状部の本体部折り返し部側とは反対側の端部から連設された第２突起部で、先端側にいくほど本体部第１棒状部との間の距離が長くなるように本体部第２棒状部に対して屈曲して形成され、その先端と第１突起部との間に間隔が形成された第２突起部（６４）とを有するハリス止め本体部（３６）と、を有し、逆針の突状部は、中子部の後端位置における第１突起部と基端部との間の位置に係止されていることを特徴とする。
【００１２】
この第１の構成の仕掛け具においては、第１突起部が設けられているので、第１突起部の外側（第１突起部の第２突状部側とは反対側）から水中糸や玉網が接近しても、第１突起部により遮られるので、水中糸や玉網が第２突起部に引っ掛かるおそれを小さくでき、水中糸や玉網の網糸が本体部第１棒状部と本体部第２棒状部間に挟まるおそれを小さくすることができる。
【００１３】
また、針ハリスをハリス止め部に取り付ける際には、例えば、ハリス止め部の側方から第２突起部と本体部第１棒状部間の空間にハリスの先端側を差し入れた後、手元が狂って、ハリスが第１突起部側に位置ズレしても、針ハリスは、第１突起部に衝突し、第１突起部と基端部間の空間内に押し留められているので、そこから針ハリスをハリス止め本体部の本体部折り返し部側へ引き寄せることにより、針ハリスを本体部第１棒状部と本体部第２棒状部間に引き入れることができる。また、針ハリスを第２突起部の先端と第１突起部との間隙に対して、その斜め上方から入れ、その後、針ハリスを降下させて、つまり、第２突起部の先端部を回りこませるようにして、針ハリスを第２突起部と本体部第１棒状部間の空間に引き入れる場合には、このように屈曲した取り回しの軌道（経路）の外側が、第１突起部と基端部の先端側とにより、防護されていることにより、針ハリスが取り回しの軌道（経路）から外れてしまわず、針ハリスが第１突起部と基端部の先端側とに沿って、第２突起部と本体部第１棒状部間の空間に案内されるので、そこから針ハリスを本体部折り返し部側へ引き寄せることにより、針ハリスを本体部第１直棒部と本体部第２直棒部との間に引き入れることができる。よって、本発明の仕掛け具は、以上のように簡単に針ハリスを取り付けることができ、使い勝手がよい。なお、針ハリスをハリス止め本体部における本体部第１棒状部と本体部第２棒状部間に取り付ける際に、手元が狂っても、第１突起部が防御となって、針ハリスが先端側にいかないので、誤って逆針の先端により指を負傷してしまうことがなく、その意味でも、針ハリスを容易に取り付けることができる。
【００１４】
なお、上記第１の構成において、第１突起部について、「中子部の後端から連設されるとともに筒状部の後端から露出して形成され、中子部の後端から後方への中子部の延長線で中子部の軸線方向の延長線に対して鋭角に屈曲した方向に形成された第１突起部（４０）」としてもよい。また、第２突起部について、「本体部第２棒状部の本体部折り返し部側とは反対側の端部から連設された第２突起部で、先端側にいくほど本体部第１棒状部との間の距離が長くなるように、本体部第２棒状部の本体部折り返し部とは反対側への本体部第２棒状部の延長線に対して鋭角に本体部第２棒状部に対して屈曲して形成され、その先端と第１突起部との間に間隔が形成された第２突起部（６４）」としてもよい。
【００１５】
また、第２には、上記第１の構成において、ハリス止め本体部の基端部が、中子部の後端から連設され、略直線状の棒状に形成された本体部第３棒状部で、中子部に対して、筒状部の軸線方向に対する第１突起部の屈曲方向と反対側に屈曲して形成された本体部第３棒状部（５６−１）を有し、本体部第３棒状部が、第１突起部との間で後端側に行くほど距離が長く形成され、本体部第１棒状部は、筒状部の軸線方向に対する角度が本体部第３棒状部の筒状部の軸線方向に対する角度より小さくなるように、本体部第３棒状部の中子部側とは反対側の端部から本体部第３棒状部に対して屈曲して形成され（「本体部第１棒状部は、本体部第３棒状部の中子部側とは反対側の端部から本体部第３棒状部に対して屈曲して形成され」としてもよい）、本体部第１棒状部及び本体部第２棒状部は、筒状部の軸線方向と略平行に形成されていることを特徴とする。
【００１６】
よって、第１突起部のみならず、本体部第３棒状部が筒状部の軸線方向に対して互いに反対方向に屈曲しているので、第２突起部の先端と第１突起部の間の間隔を長く確保でき、針ハリスを第１突起部と突起部間の隙間に挿入しやすい。
【００１７】
なお、上記第２の構成において、本体部第３棒状部が、中子部の後端から後方への中子部の延長線で筒状部の軸線方向（中子部の軸線方向としてもよい）の延長線に対して鋭角に屈曲したものとしてもよい。
【００１８】
また、第３には、上記第１の構成において、ハリス止め本体部の基端部が、全体に略直線状の棒状に形成され、基端部が、中子部に対して、筒状部の軸線方向に対する第１突起部の屈曲方向と反対側に屈曲して形成され、基端部の本体部折り返し部側の部分が、本体部第１棒状部であることを特徴とする。
【００１９】
よって、第１突起部のみならず、本体部第３棒状部が筒状部の軸線方向に対して互いに反対方向に屈曲しているので、第２突起部の先端と第１突起部の間の間隔を長く確保でき、針ハリスを第１突起部と突起部間の隙間に挿入しやすい。
【００２０】
また、第４には、上記第１から第３までのいずれかの構成において、中子部が、基端部の先端から連設され、略直線状の棒状に形成された中子部第１棒状部（４２）と、中子部第１棒状部の先端側から折り返し状に形成された中子部折り返し部（４４）と、中子部折り返し部から連設され、中子部第１棒状部に沿って形成された中子部第２棒状部（４６）とを有し、中子部第１棒状部と中子部第２棒状部とが上記特定平面方向に沿って形成され、中子部第２棒状部の後端から第１突起部が連設され、中子部と第１突起部とハリス止め本体部とが１つの線条材により形成されていることを特徴とする
よって、ハリス止め部が全体に１本の線条材により形成されているので、低コストで製造することができる。
【００２１】
また、第５には、上記第１から第３までのいずれかの構成において、筒状部が柔軟性のある部材により形成されていることを特徴とする。よって、逆針やハリス止め部を筒状部に挿通するに際して挿通作業を容易とすることができる。
【００２２】
また、第６には、魚釣り用の仕掛け具であって、筒状を呈し、柔軟性のある部材により形成されている筒状部（２０）と、逆針であって、先端が尖った形状を有する本体部（１２）と、該本体部の後端部から連設された突状部で、本体部の後端部の側方に突出した突状部（１８）と、を有し、本体部の後端側が筒状部に挿通され、本体部の先端側が筒状部の先端から露出した逆針（１０）と、ハリス止め部（３０）と、を有し、上記ハリス止め部が、筒状部に挿通された中子部で、略直線状の棒状に形成された中子部第１棒状部（４２）と、中子部第１棒状部の先端側から折り返し状に形成された中子部折り返し部（４４）と、中子部折り返し部から連設され、中子部第１棒状部に沿って略直線状の棒状に形成された中子部第２棒状部（４６）とを有する中子部（３２）と、中子部第２棒状部の後端から連設されるとともに筒状部の後端から露出して形成され、中子部第２棒状部の後端から後方への中子部第２棒状部の延長線に対して鋭角に中子部第２棒状部に対して屈曲して形成された第１突起部（４０）と、中子部第１棒状部の後端から連設されるとともに筒状部の後端から露出して形成されたハリス止め本体部で、中子部第１棒状部の後端から連設された基端部で、本体部第１棒状部（５６−２）と本体部第２棒状部（６０）と本体部第３棒状部（５６−１）と本体部折り返し部（５８）と第２突起部（６４）とを有し、本体部第３棒状部が、中子部第１棒状部の後端から略直線状の棒状に連設され、中子部第１棒状部の後端から後方への中子部第１棒状部の延長線に対して第１突状部の屈曲方向と反対側に屈曲して形成され、本体部第３棒状部が、第１突起部との間で後端側に行くほど第１突起部との間の距離が長くなるように形成され、本体部第１棒状部は、本体部第３棒状部の中子部側とは反対側の端部から略直線状の棒状に形成され、筒状部の軸線方向に対する角度が本体部第３棒状部の筒状部の軸線方向に対する角度より小さくなるように本体部第３棒状部に対して屈曲して形成され（「本体部第１棒状部は、本体部第３棒状部の中子部側とは反対側の端部から略直線状の棒状に本体部第３棒状部に対して屈曲して形成され」としてもよい）、本体部折り返し部が、本体部第１棒状部の第３棒状部側とは反対側の端部から連設され、第１突起部側に折り返し状に形成され、本体部第２棒状部が、本体部折り返し部の本体部第１棒状部側とは反対側の端部から連設され、本体部第１棒状部に沿って略直線状の棒状に形成され、第２突起部が、本体部第２棒状部の本体部折り返し部側とは反対側の端部から連設され、先端側にいくほど本体部第１棒状部との間の距離が長くなるように本体部第２棒状部に対して屈曲して形成され、第２突起部の先端と第１突起部との間に間隔が形成され、本体部第１棒状部及び本体部第２棒状部は、筒状部の軸線方向と略平行に形成されているハリス止め本体部（３６）と、を有し、ハリス止め部が１本の線条材により形成され、中子部と第１突起部とハリス止め本体部とが同一平面方向に沿って形成され、逆針の突状部は、中子部の後端位置における第１突起部と本体部第３棒状部との間の位置に係止されていることを特徴とする。
【００２３】
この第６の構成の仕掛け具においては、第１突起部が設けられているので、第１突起部の外側（第１突起部の第２突状部側とは反対側）から水中糸や玉網が接近しても、第１突起部により遮られるので、水中糸や玉網が第２突起部に引っ掛かるおそれを小さくでき、水中糸や玉網の網糸が本体部第１棒状部と本体部第２棒状部間に挟まるおそれを小さくすることができる。
【００２４】
また、針ハリスをハリス止め部に取り付ける際には、例えば、ハリス止め部の側方から第２突起部と本体部第１棒状部間の空間にハリスの先端側を差し入れた後、手元が狂って、ハリスが第１突起部側に位置ズレしても、針ハリスは、第１突起部に衝突し、第１突起部と基端部間の空間内に押し留められているので、そこから針ハリスをハリス止め本体部の本体部折り返し部側へ引き寄せることにより、針ハリスを本体部第１棒状部と本体部第２棒状部との間に引き入れることができる。また、針ハリスを第２突起部の先端と第１突起部との間隙に対して、その斜め上方から入れ、その後、針ハリスを降下させて、つまり、第２突起部の先端部を回りこませるようにして、針ハリスを第２突起部と本体部第１棒状部間の空間に引き入れる場合には、このように屈曲した取り回しの軌道（経路）の外側が、第１突起部と基端部の先端側とにより、防護されていることにより、針ハリスが取り回しの軌道（経路）から外れてしまわず、針ハリスが第１突起部と基端部の先端側とに沿って、第２突起部と本体部第１棒状部間の空間に案内されるので、そこから針ハリスを本体部折り返し部側へ引き寄せることにより、針ハリスを本体部第１直棒部と本体部第２直棒部との間に引き入れることができる。よって、本発明の仕掛け具は、以上のように簡単に針ハリスを取り付けることができ、使い勝手がよい。なお、針ハリスをハリス止め本体部における本体部第１棒状部と本体部第２棒状部間に取り付ける際に、手元が狂っても、第１突起部が防御となって、針ハリスが先端側にいかないので、誤って逆針の先端により指を負傷してしまうことがなく、その意味でも、針ハリスを容易に取り付けることができる。
【００２５】
また、第１突起部４０のみならず、本体部第３棒状部が筒状部の軸線方向に対して互いに反対方向に屈曲しているので、第２突起部の先端と第１突起部の間の間隔を長く確保でき、針ハリスを第１突起部と突起部間の隙間に挿入しやすい。
【００２６】
また、ハリス止め部が全体に１本の線条材により形成されているので、低コストで製造することができる。また、筒状部が柔軟性のある部材により形成されているので、逆針やハリス止め部を筒状部に挿通するに際して挿通作業を容易とすることができる。
【００２７】
なお、上記第６の構成において、本体部第３棒状部について、「本体部第３棒状部が、中子部第１棒状部の後端から略直線状の棒状に連設され、中子部第１棒状部に対して、筒状部の軸線を介して第１突起部の屈曲方向と反対側に屈曲して形成されるとともに、中子部第１棒状部の後端から後方への中子部第１棒状部の延長線に対して鋭角に中子部第１棒状部に対して屈曲して形成され、本体部第３棒状部が、第１突起部との間で後端側に行くほど第１突起部との間の距離が長くなるように形成され、」としてもよく、また、第２突起部について、「第２突起部が、本体部第２棒状部の本体部折り返し部側とは反対側の端部から連設され、先端側にいくほど本体部第１棒状部との間の距離が長くなるように、本体部第２棒状部の本体部折り返し部とは反対側への本体部第２棒状部の延長線に対して鋭角に本体部第２棒状部に対して屈曲して形成され、第２突起部の先端と第１突起部との間に間隔が形成され、」としてもよい。
【発明の効果】
【００２８】
本発明に基づく仕掛け具によれば、第２突起部の延長線上に第１突起部が存在するように形成されているので、第２突起部の延長線上の方向で、第１突起部の外側から玉網が接近しても、第１突起部により遮られるので、玉網が第２突起部に引っ掛かることがなく、玉網の網糸が第２突起部に絡まることがない。
【００２９】
また、針ハリスをハリス止め部に取り付ける際には、例えば、ハリス止め部の側方から第２突起部と本体部第１棒状部間の空間にハリスの先端側を差し入れた後、手元が狂って、ハリスが第１突起部側に位置ズレしても、針ハリスは、第１突起部に衝突し、第１突起部と基端部間の空間内に押し留められているので、そこから針ハリスをハリス止め本体部の本体部折り返し部側へ引き寄せることにより、針ハリスを本体部第１棒状部と本体部第２棒状部との間に引き入れることができる。また、針ハリスを第２突起部の先端と第１突起部との間隙に対して、その斜め上方から入れ、その後、針ハリスを降下させて、つまり、第２突起部の先端部を回りこませるようにして、針ハリスを第２突起部と本体部第１棒状部間の空間に引き入れる場合には、このように屈曲した取り回しの軌道（経路）の外側が、第１突起部と基端部の先端側とにより、防護されていることにより、針ハリスが取り回しの軌道（経路）から外れてしまわず、針ハリスが第１突起部と基端部の先端側とに沿って、第２突起部と本体部第１棒状部間の空間に案内されるので、そこから針ハリスを本体部折り返し部側へ引き寄せることにより、針ハリスを本体部第１直棒部と本体部第２直棒部との間に引き入れることができる。よって、本発明の仕掛け具は、以上のように簡単に針ハリスを取り付けることができ、使い勝手がよい。なお、針ハリスをハリス止め本体部における本体部第１棒状部と本体部第２棒状部間に取り付ける際に、手元が狂っても、第１突起部が防御となって、針ハリスが先端側にいかないので、誤って逆針の先端により指を負傷してしまうことがなく、その意味でも、針ハリスを容易に取り付けることができる。
【図面の簡単な説明】
【００３０】
【図１】仕掛け具の斜視図である。
【図２】仕掛け具の正面図である。
【図３】仕掛け具の平面図である。
【図４】仕掛け具の分解斜視図である。
【図５】図１におけるＡ−Ａ断面図である。
【図６】逆針の正面図である。
【図７】逆針の平面図である。
【図８】ハリス止め部の正面図である。
【図９】仕掛け具の組み立て状態を示す説明図である。
【図１０】仕掛け具の使用状態を示す説明図である。
【図１１】仕掛け具の使用状態を示す説明図である。
【図１２】ハリス止め部の他の例を示す正面図である。
【発明を実施するための形態】
【００３１】
本発明においては、釣りに際して、ハリス止め部の突起部に引っ掛かって玉網が破れるという不具合が発生しないとともに、針ハリスの取り付けが容易な仕掛け具を提供するという目的を以下のようにして実現した。
【００３２】
本発明に基づく仕掛け具（「ハリス止め機能付き逆針」としてもよい。他においても同じ）５は、図１〜図８に示すように構成され、逆針１０と、筒状部２０と、ハリス止め部３０とを有し、組み立てられた状態では、図２に示すように、筒状部２０のＸ１側の開口端（第１開口端）２０ａから逆針１０の先端側が突出し、筒状部２０のＸ２側の開口端２０ｂからハリス止め部３０の後端側が突出している。なお、図面において、Ｘ１側を前側とし、Ｘ２側を後側とする。
【００３３】
ここで、逆針１０は、本体部１２と、突状部１８とを有している。この本体部１２は、棒状部１４と、該棒状部１４の端部から連設された先端部１６とを有している。
【００３４】
ここで、該棒状部１４は、直線状の棒状（略直線状の棒状としてもよい）を呈していて、Ｘ１−Ｘ２方向に伸びている。仕掛け具５に組み立てられた状態では、この棒状部１４の大部分は、筒状部２０内の空間に収容される。また、先端部１６は、棒状部１４のＸ１側の端部から連設されていて、湾曲した棒状形状を呈している。すなわち、先端部１６は、Ｘ１方向に対して１８０度ないしはそれ以上湾曲した形状を呈していて、その先端は尖った形状となっている。なお、この本体部１２は、全体に同一平面に沿って存在する形状を呈している。つまり、本体部１２は、Ｘ１−Ｘ２方向及びＺ１−Ｚ２方向の平面に沿って形成されていて、図７に示すように、Ｚ１方向及びＺ２方向から視認すると、直線状の棒状に視認される。
【００３５】
さらに、突状部１８は、本体部１２の端部、すなわち、Ｘ２側の端部から連設されていて、棒状部１４に対して直角（略直角としてもよい）であるとともに、本体部１２の形成方向（つまり、Ｘ１−Ｘ２方向及びＺ１−Ｚ２方向の平面の方向）に対して直角の方向に向けて突出して形成されている。つまり、突状部１８は、棒状部１４のＸ２側の端部からＹ１側に向けて形成されている。このように突状部１８が設けられていることによって、逆針１０の基端部は略Ｌ字状に形成されている。また、この突状部１８のＹ１−Ｙ２方向の長さとしては、仕掛け具５が組立て状態となっていて、突状部１８がハリス止め部３０の挟角部５２（図４、図８参照）内に臨んだ状態となっている場合に、この突状部１８がハリス止め部３０に係止する程度の長さであり、具体的には、逆針１０をＸ１方向に引き抜こうとしても、この突状部１８がハリス止め部３０に係止して引き抜くことができない程度で、かつ、突状部１８がハリス止め部３０の側方から突出しない程度の長さを有している。すなわち、この突状部１８のＹ１−Ｙ２方向の長さＮ１（図７参照）としては、例えば、少なくともハリス止め部３０の厚み、すなわち、ハリス止め部３０のＹ１−Ｙ２方向の幅（つまり、ハリス止め部３０を構成する棒状部材の太さ）と略同一（又は同一）とするのが好ましい。つまり、突状部１８の長さをハリス止め部３０のＹ１−Ｙ２方向の幅と略同一とすることにより、ハリス止め部３０の側面と突状部１８の先端とは面一の状態となる。なお、突状部１８がハリス止め部３０の側方から突出しないので、仕掛け具５を上方から視認した場合（つまり、Ｚ２方向から視認した場合）には、図３に示すように、突状部１８はハリス止め部３０で隠れて視認されない。なお、突状部１８の長さＮ１がハリス止め部３０のＹ１−Ｙ２方向の幅以上としてもよい。さらに、この逆針１０のＸ２側の端部は、筒状部２０内を挿通するので、この逆針１０の後端、つまり、Ｘ２側の端部の幅、つまり、Ｙ１−Ｙ２方向の幅Ｎ２（突状部形成箇所幅）（図７参照）は、筒状部２０の内径以下であることが好ましい。なお、幅Ｎ２が筒状部２０の内径より小さいものとしてもよい。なお、この場合の筒状部２０の内径としては、筒状部２０が筒状形状の状態の場合の内径とするのが基本であるが、筒状部２０を潰して平板状とした場合の最大内径としてもよい。つまり、筒状部２０を潰して平板状とした場合の最大内径の方が、筒状形状の状態の場合の内径よりも大きくなるが、幅Ｎ２は、この最大内径以下（又は最大内径よりも小さい）であればよい。
【００３６】
なお、図２に示すように、仕掛け具５を組み立てた状態においては、逆針１０の先端は、筒状部２０の先端よりも先端側（Ｘ１側）にあり、逆針１０の先端が突起部４０と横方向（Ｘ１−Ｘ２方向）に離れた位置にあるので、針ハリスを装着しようとする際に、針ハリスが突起部４０に防御されて、針ハリスを持つ指が逆針１０の先端により負傷することがない。なお、逆針１０の先端は、少なくとも、突起部４０の中子部３２側の端部よりも先端側とする。
【００３７】
また、突状部１８は、本体部１２の形成方向（つまり、Ｘ１−Ｘ２方向及びＺ１−Ｚ２方向の平面の方向）に対して直角の方向に向けて突出して形成されているとしたが、ハリス止め部３０との係止をより確実にするために、突状部１８の形成方向が本体部１２の形成方向に対して略直角であるが、棒状部１４に対して鋭角になるようにしてもよい。
【００３８】
なお、逆針１０は、全体に一体に形成されていて、この突状部１８についても棒状部材の端部を折曲することにより形成されるものである。なお、突状部１８を他の方法により形成してもよい。
【００３９】
なお、上記逆針１０において、棒状部１４は直線状の棒状を呈しているとし、その横断面は図５では円形に表現したが、横断面が円形である場合には限られず、この棒状部１４の横断面が板状となっていて、棒状部１４が直線状の板状であってもよい。なお、「直線状の板状」も「直線状の棒状」の範疇に入るということもできる。
【００４０】
次に、筒状部２０は、円筒状を呈する部材であり、塩化ビニル等の柔軟性のある素材により形成されている。この筒状部２０の内側には、円柱状の空間部が設けられているが、この筒状部２０の内径は、棒状部１４とハリス止め部３０の中子部３２とを平行に重ねた状態で筒状部２０内に収納できるだけの大きさを有している（図５参照）。また、この筒状部２０のＸ１−Ｘ２方向の長さは、逆針１０の棒状部１４の長さやハリス止め部３０における中子部３２の長さと略同様となっている。
【００４１】
次に、ハリス止め部３０は、１本の金属製の線条材（例えば、針金状部材）を折曲することにより形成されたものであり、図８に示すように、中子部３２と、中子部３２から連設された突起部４０と、中子部３２から連設されたハリス止め本体部３６とを有し、全体が同一平面に沿って存在する形状を呈している。つまり、ハリス止め部３０は、Ｘ１−Ｘ２方向及びＺ１−Ｚ２方向の平面に沿って形成されていて、Ｚ１方向及びＺ２方向から視認すると、直線状の棒状に視認される。つまり、ハリス止め部３０を構成する各部（中子部３２と突起部４０とハリス止め本体部３６）は、同一平面方向（特定平面方向）（つまり、図３や図５におけるＭに示す方向）に沿って形成されている。
【００４２】
中子部３２は、略Ｘ１−Ｘ２方向に伸びる直線状の棒状（略直線状の棒状としてもよい）を呈する棒状部（中子部第１棒状部）４２と、棒状部４２のＸ１側の端部から連設され、棒状部４２に対して、Ｚ２側で、かつ、Ｘ２側に折り返し状に折曲している折り返し部４４（中子部折り返し部）（つまり、折り返し部４４は、棒状部４２に対してＺ２側に湾曲し、棒状部４２側とは反対側の端部は、Ｘ２側に向いている。つまり、折り返し部４４は、略半円状の円弧状に形成されている）と、折り返し部４４のＺ２側の端部から連設され、棒状部４２に沿って伸びる直線状の棒状（略直線状の棒状としてもよい）を呈する棒状部（中子部第２棒状部）４６とを有している。つまり、棒状部４２と棒状部４６とは、略平行（平行でもよい）状態で、中子部３２は、仕掛け具５に組み立てられた状態では、その大部分が筒状部２０内の空間に収容される。棒状部４２のＸ２側の端部と棒状部４６のＸ２側の端部とは、Ｘ１−Ｘ２方向において略同一の位置にある。
【００４３】
また、突起部（第１突起部）４０は、棒状部４６のＸ２側の端部から折曲部４８を介して連設され、直線状の棒状（略直線状の棒状としてもよい）を呈していて、棒状部４６に対して、Ｚ２側（第１向き側）に折曲している。つまり、仕掛け具５に組み立てられた状態では、突起部４０は、筒状部２０のＸ２側の開口端から突出していて、筒状部２０に対して、Ｚ２側に折曲し、その先端側に行くほど筒状部２０から、Ｘ２側で、かつ、Ｚ２側に離れる上方傾斜状に伸びている。つまり、突起部４０は、棒状部４６の後方への棒状部４６の延長線（中子部３２の軸線（棒状部４２と棒状部４６に平行で棒状部４２と棒状部４６間の直線）としてもよい）に対して鋭角に屈曲しており、突起部４０の方向と棒状部４６の後方への延長線とがなす角度α１２（図８参照）（この角度は、突起部４０と筒状部２０の軸線との間の角度α２と略同一である）は、鋭角（具体的には、３０〜４０度）に形成されている。なお、突起部４０の軸線が、棒状部４６の軸線の後方への延長線に対して鋭角をなしているとしてもよい。また、突起部４０は、中子部３２の後端から後方への中子部３２の延長線で筒状部２０の軸線方向の延長線に対して鋭角に屈曲しているともいえる。
【００４４】
また、ハリス止め本体部３６は、棒状部４２の後端から連設され、ハリス止め本体部３６は、基端部５６と、基端部５６の後端から連設され、基端部５６に対して、Ｚ２側で、かつ、Ｘ１側に折り返し状に折曲している折り返し部（本体部折り返し部）５８と、折り返し部５８のＺ２側の端部から連設された、直線状で棒状の棒状部（本体部第２棒状部）６０と、棒状部６０のＸ１側の端部から折曲部６２を介して連設された突起部（第２突起部）６４とを有している。
【００４５】
基端部５６は、棒状部４２の後端から連設された棒状部５６−１と、棒状部５６−１の後端から連設された棒状部５６−２とを有している。
【００４６】
ここで、棒状部（本体部第３棒状部）５６−１は、棒状部４２のＸ２側（つまり、折り返し部４４側とは反対側）の端部から折曲部５０を介して連設され、直線状の棒状（略直線状の棒状としてもよい）を呈していて、棒状部４２に対して、Ｚ１側（第２向き側）に折曲している。つまり、仕掛け具５に組み立てられた状態では、棒状部５６−１は、筒状部２０のＸ２側の開口端から突出していて、筒状部２０に対して、Ｚ１側に折曲し、その先端側に行くほど筒状部２０から、Ｘ２側で、かつ、Ｚ１側に離れる下方傾斜状に伸びている。つまり、棒状部５６−１は、棒状部４２の後方への棒状部４２の延長線に対して鋭角に棒状部４２に対して屈曲しており、棒状部５６−１の方向と棒状部４２の後方への延長線とがなす角度α１１（この角度は、棒状部５６−１と筒状部２０の軸線Ｊとの間の角度α１と略同一である）は、鋭角（具体的には、３０〜４０度）に形成されている。つまり、棒状部５６−１は、中子部３２に対して、筒状部２０の軸線方向に対して突起部４０の屈曲方向と反対側に屈曲して形成されている（「筒状部２０の軸線方向を介して突起部４０の屈曲方向と反対側に屈曲して形成されている」としてもよい）。なお、棒状部５６−１の軸線が、棒状部４２の軸線の後方への延長線に対して鋭角をなしているとしてもよい。
【００４７】
ここで、突起部４０のみならず棒状部５６−１が筒状部２０の軸線方向に対して互いに反対方向に屈曲している（つまり、傾斜している）ことにより、図１２（ｂ）の構成の場合と比べて、突起部６４の先端と突起部４０の間の間隔を長く確保でき、針ハリスを突起部４０と突起部６４間の隙間に挿入しやすいという利点がある。
【００４８】
また、突起部４０のみならず棒状部５６−１が筒状部２０の軸線方向に対して互いに反対方向に屈曲している（つまり、傾斜している）ことにより、突状部１８を筒状部２０の軸線近くに配置しやすく、これにより、逆針１０の棒状部１４を筒状部２０の軸線と平行にしやすい。特に、棒状部５６−１と筒状部２０の軸線Ｊ（軸線方向としてもよい）との間の角度α１と突起部４０と筒状部２０の軸線Ｊ（軸線方向としてもよい）との間の角度α２とは略同一であり（つまり、突起部４０の筒状部２０の軸線に対する屈曲角度と棒状部５６−１の筒状部２０の軸線に対する屈曲角度が略同一である）、これにより、突状部１８の軸線と筒状部２０の軸線とが交差（具体的には直交）するか、あるいは、それに近い位置とすることができ、棒状部１４を筒状部２０の軸線と平行にしやすくできる。角度α１、α２はともに鋭角であり、角度α１、α２は、筒状部２０の軸線方向に対する角度であるともいえる。なお、棒状部５６−１は、中子部３２と棒状部５６−２を含めた棒状部５６−２より後端側の部材を連結しているといえる。
【００４９】
つまり、突起部４０と棒状部５６−１とは、同一平面に沿って形成され、仕掛け具５に組み立てられた状態では、筒状部２０のＸ２側の開口端２０ｂから直線状に突出しているとともに、互いに相反する向きに傾斜し、Ｙ１−Ｙ２方向から視認すると、突起部４０と棒状部５６−１とにより、くの字形状を呈しており、突起部４０と棒状部５６−１間の間隔は、Ｘ２側にいくほど広くなる。これにより、突起部４０と棒状部５６−１とにより挟まれた空間である挟角部５２が筒状部２０のＸ２側の開口端２０ｂの外側に形成され、突状部１８が挟角部５２の位置に配置され、突起部４０及び棒状部５６−１に係止（掛止としてもよい）されている。つまり、逆針１０の突状部１８は、突起部４０の基端部と棒状部５６−１の基端部とに係止されている。
【００５０】
また、棒状部（本体部第１棒状部）５６−２は、棒状部５６−１の後端（Ｘ２側の端部）（つまり、中子部３２側とは反対側の端部）から折曲部５４を介して連設され、筒状部２０の軸線Ｊ（軸線方向としてもよい）に対して略平行に形成され、具体的には、Ｘ１−Ｘ２方向に対して、ややＺ１側に傾斜して伸びて形成されている。すなわち、棒状部５６−２は、棒状部５６−１に対して、筒状部２０の軸線側に屈曲していて、棒状部５６−２の筒状部２０の軸線方向との間の角度（鋭角の角度）α３は、角度α１（棒状部５６−１と筒状部２０の軸線Ｊとの間の鋭角の角度）よりも小さく形成されている。この棒状部５６−２は、直線状の棒状（略直線状の棒状としてもよい）を呈している。
【００５１】
また、折り返し部５８は、棒状部５６−２の後端（Ｘ２側の端部）（つまり、棒状部５６−２側とは反対側の端部）から連設され、棒状部５６−２に対してＺ２側に湾曲し、棒状部５６−２側とは反対側の端部は、Ｘ１側に向いている。つまり、折り返し部５８は、略半円状の円弧状に形成されている。
【００５２】
また、棒状部６０は、折り返し部５８の棒状部５６−２側とは反対側の端部から連設され、棒状部５６−２に沿って直線状の棒状（略直線状の棒状としてもよい）に伸びていて、棒状部５６−２よりも短く形成され、棒状部５６−２と棒状部６０とは、針ハリスの外形寸法よりも狭小の間隔を置いて近接している。つまり、棒状部６０も筒状部２０の軸線（軸線方向としてもよい）に対して略平行に形成されており、具体的には、Ｘ１−Ｘ２方向に対して、ややＺ１側に傾斜して伸びて形成されている。
【００５３】
また、突起部６４は、棒状部６０の折り返し部５８側とは反対側の端部から連設され、直線状の棒状（略直線状の棒状としてもよい）を呈していて、棒状部６０に対して、Ｚ２側に折曲している。つまり、突起部６４は、その先端側に行くほど棒状部６０から、Ｘ１側で、かつ、Ｚ２側に離れる上方傾斜状に伸びており（つまり、先端側にいくほど棒状部５６−２との間の距離が長くなるように棒状部６０に対して屈曲して形成されている）、このことにより、突起部６４と棒状部５６−２のＸ１側の端部との間に挟角部６６が形成されている。つまり、突起部６４は、棒状部６０の前方（折り返し部５８とは反対側の方向）への延長線に対して鋭角に棒状部６０に対して屈曲しており、突起部６４の方向と棒状部６０の後方への延長線とがなす角度α１３は、鋭角（具体的には、３０〜４０度）に形成されている。なお、突起部６４の軸線が、棒状部６０の軸線の前方への延長線に対して鋭角をなしているとしてもよい。
【００５４】
この挟角部６６は、棒状部５６−２と棒状部６０との間に針ハリスを導入する際に針ハリスを案内するための案内空間であり、突起部６４が、上記のように傾斜していることにより、挟角部６６は、その入出口側（突起部６４の先端側）が広く、奥側（突起部６４の基端側）に行くに従い狭くなり、さらにその奥が棒状部５６−２と棒状部６０との間に連続しているので、挟角部６６の入出口付近に入り込んだ針ハリスは、スムーズに挟角部６６の奥側に引き込まれて、棒状部５６−２と棒状部６０との間に導かれる。
【００５５】
また、突起部６４は、突起部４０の中腹部（側面部）に向かって伸びている。つまり、突起部６４は、その先端部からの延長線Ｃが突起部４０（突起部４０の形成方向）に交差する向きに方向付けされており、つまり、挟角部６６の入出口の前方は、突起部４０により遮られている。つまり、突起部６４の先端の延長線Ｃ上に突起部４０が存在するように構成されている。また、突起部６４の先端と突起部４０との間には間隔が形成されている。
【００５６】
よって、針ハリスをハリス止め部３０に取り付ける際、例えば、ハリス止め部３０の側方（Ｙ１−Ｙ２方向）から挟角部６６の入出口付近に針ハリスの先端側を差し入れた後、手元が狂って、針ハリスが突起部４０側に位置ズレしても、針ハリスは、突起部４０の側面部における内側（挟角部６６に対向している側）に衝突し、挟角部６６の入出口付近に押し留められているので、そこから針ハリスをハリス止め本体部３６の折り返し部５８側へ引き寄せることにより、針ハリスを棒状部５６−２と棒状部６０との間に引き入れることができる。つまり、突起部４０により、針ハリスの取り付けが補助されているので、簡単かつ確実に針ハリスをハリス止め部３０に取り付けることができる。
【００５７】
また、針ハリスを突起部６４の先端と突起部４０との間の間隙に対して、その斜め上方（Ｘ２側で、かつ、Ｚ２側）から入れ、その後、針ハリスをＺ１側へ降下させて、つまり、突起部６４の先端部を回りこませるようにして、針ハリスを挟角部６６の入口付近に差し入れる場合には、このように屈曲した取り回しの軌道（経路）の外側が、突起部４０と棒状部５６−１とにより、防護されていることにより、針ハリスが取り回しの軌道（経路）から外れてしまわず、突起部４０と棒状部５６−１とに沿って案内されるので、簡単かつ確実に針ハリスをハリス止め部３０に取り付けることができる。
【００５８】
なお、針ハリスをハリス止め部３０における棒状部５６−２と棒状部６０間に取り付ける際に、手元が狂っても、突起部４０が防御となって（つまり、針ハリスが突起部４０に引っ掛かって）、針ハリスが先端側にいかないので、誤って逆針１０の先端により指を負傷してしまうことがなく、その意味でも、針ハリスの取付けが容易であるといえる。
【００５９】
また、仕掛け具５をおとり鮎に取り付けた後には、突起部４０により、水中糸、玉網の網糸等の糸材が、意に反して棒状部５６−２と棒状部６０との間に入り込んで、糸材が絡まったり、玉網が破れてしまうことが防止される。
【００６０】
つまり、挟角部６６から、Ｘ１側で、かつ、Ｚ２側に向かう方向線上は、突起部４０により遮られているので、当該方向における突起部４０よりも外側から、挟角部６６に向かって接近するもの、例えば、水中糸、玉網の網糸等の糸材は、突起部４０に衝突し、挟角部６６内への侵入が阻止される。つまり、仕掛け具５の使用中に、非目的物である糸材が、棒状部５６−２と棒状部６０との間に入り込んで不具合が発生することが防止される。
【００６１】
特に、突状部４０は、棒状部４６の後方への延長線に対して鋭角に屈曲し、突起部６４は、棒状部６０の前方への延長線に対して鋭角に屈曲し、棒状部４６と棒状部６０とは略平行であるので、棒状部６４の延長線と突起部４０（又は突起部４０の延長線）は交差することになり、突起部４０の外側（突起部４０の突状部６４側とは反対側）から水中糸や玉網が接近しても、突起部４０により効果的に遮っているといえる。
【００６２】
なお、突起部６４の先端の延長線Ｃ上に突起部４０が存在するとしたが、図示する場合に比べて突起部４０の長さが若干短く、突起部６４の先端の延長線Ｃに突起部４０が存在しなくても、該延長線Ｃの近傍に突起部４０の先端が存在する場合であってもよい。この場合でも、突起部４０の外側（突起部４０の突状部６４側とは反対側）から水中糸や玉網が接近しても、突起部４０により遮られるので、水中糸や玉網が突起部６４に引っ掛かることがなく、水中糸や玉網の網糸が棒状部５６−２と棒状部６０間に絡まることがない。
【００６３】
なお、突起部４０は、筒状部２０の軸線方向において、棒状部４６の端部から後方に向かって伸びていて（つまり、突起部４０の向きは、筒状部２０の軸線方向において、前から後への方向の成分を有している）、突起部６４は、筒状部２０の軸線方向においては、棒状部６０の端部は前方に向かっており（つまり、突起部６４の向きは、筒状部２０の軸線方向において、後から前への方向の成分を有している）、これにより、突起部４０は、突起部６４の先端側の方向から接近する物を遮っているといえる。
【００６４】
次に、上記構成の仕掛け具５の使用状態について説明する。まず、仕掛け具５の組立て工程について、図９等を使用して説明する。
【００６５】
まず、逆針１０を筒状部２０に挿通する。つまり、図９のＷ１に示すように、逆針１０の突状部１８側を筒状部２０内に挿通し、突状部１８が筒状部２０の反対側から露出するようにする。つまり、図９のＷ２に示す状態にする。
【００６６】
そして、図９のＷ３に示すように、ハリス止め部３０の先端側（すなわち、中子部３２）を筒状部２０に挿通して、Ｗ４に示すような状態にする。その際、ハリス止め部３０を挿通する際に突状部１８が邪魔にならないように、ハリス止め部３０の上下方向に突状部１８の方向を合わせるようにする。つまり、この場合には、逆針１０は、ハリス止め部３０に対して、最終的な組立て状態に対して、Ｘ１−Ｘ２方向の軸線を介して約９０度回転した状態となっている。
【００６７】
その後、Ｗ５に示すように、逆針１０を回転させて、突状部１８がハリス止め部３０の挟角部５２内に臨み、ハリス止め部３０に係止（掛止としてもよい）されるようにする。つまり、突状部１８が突起部４０の基端部分と棒状部５６−１の基端部分とに係止されるようにする。以上のようにして、仕掛け具５が組み立てられる。
【００６８】
以上のように組み立てられた仕掛け具５は、従来と同様に、おとり鮎に掛止させて使用する。つまり、図１１に示すように、根巻き糸１５０により中ハリス１００の一方の端部側を仕掛け具５（特に、筒状部２０）に固定するとともに、ハリス止め部３０には、掛け針が碇状に設けられた針ハリス２００を取り付ける。
【００６９】
針ハリス２００の取り付け方としては、特に限定されはしないが、例えば、ハリス止め部３０の形成平面（Ｘ１−Ｘ２方向及びＺ１−Ｚ２方向の平面）に対して、針ハリス２００の長さ方向とが略直角に交差するように、針ハリス２００をハリス止め部３０の一方の側方（Ｙ１側又はＹ２側）に配置し、該針ハリス２００の先端部を一方の側方から挟角部６６の入出口付近に差し入れ、次にハリス止め部３０の他方の側方に突出した針ハリス２００の先端部と、ハリス止め部３０の一方の側方に残っている針ハリス２００の中間部のハリス止め本体部３６付近の部位とを、ハリス止め本体部３６の折り返し部５８側に引き寄せ、針ハリス２００を棒状部５６−２と棒状部６０との間に挟み込み、さらに、針ハリス２００の上記部位を１、２回ほど棒状部５６−１又は棒状部５６−２の棒状部５６−１側に巻き付け、これを折り返し部５８側に引き寄せ、棒状部５６−２と棒状部６０との間に挟み込んで、針ハリス２００をハリス止め本体部３６に固定する。
【００７０】
この取り付け作業中、針ハリス２００の先端部を挟角部６６の入出口付近に差し入れる際、手ぶれ等により、針ハリス２００の先端部が、棒状部５６−２及び棒状部６０とは反対側に位置ズレしても、針ハリス２００は、挟角部６６の入出口に相対している突起部４０に衝突し、突起部４０により、押し留められて、挟角部６６から外れてしまわないので、その後の取付け操作に支障がなく、取り付け操作をスムーズに続行することができる。
【００７１】
また、他の取り付け方として、例えば、ハリス止め部３０の形成平面（Ｘ１−Ｘ２方向及びＺ１−Ｚ２方向の平面）に対して、針ハリス２００の長さ方向が略直角に交差するように、針ハリス２００をハリス止め部３０の上方（Ｚ２側）に配置し、該針ハリス２００の先端部を突起部６４の先端と突起部４０との間の間隙にその斜め上方から入れ、その後、針ハリス２００を降下させて、つまり、突起部６４の先端部を回りこませるようにして、針ハリス２００を挟角部６６の入口付近に差し入れてもよく、この場合には、このような針ハリス２００の取り回しの軌道（経路）の外側が、突起部４０と棒状部５６−１とにより、防護されていることにより、針ハリス２００が取り回しの軌道（経路）から外れてしまわず、突起部４０と棒状部５６−１とに沿って案内される。
【００７２】
なお、針ハリス２００の先端側を挟角部６６に通してから、針ハリス２００を棒状部５６−２と棒状部６０との間に挟み込んで、ハリス止め本体部３６に固定するまでの手順については、上記方法の場合と同様に行えばよい。
【００７３】
以上のようにして、針ハリス２００をハリス止め部３０に取り付けたら、図１０に示すように、逆針１０をおとり鮎の尻びれあたりに掛止させる。なお、中ハリス１００の他方の端部側は、鼻カン３００側に締結される。なお、鼻カン３００には、水中糸３５０が固着される。
【００７４】
なお、仕掛け具５において、逆針１０やハリス止め部３０を取り替える場合には、図９に示す手順と逆の手順により仕掛け具５を分解状態とし、逆針１０やハリス止め部３０を交換した上で上記と同様に組み立てればよい。
【００７５】
また、逆針１０やハリス止め部３０の取替えの必要がない場合には、逆針１０とハリス止め部３０とが挿通された筒状部２０の内側に接着剤を注入して、逆針１０とハリス止め部３０とを筒状部２０に固定してもよい。
【００７６】
以上のように、本実施例の仕掛け具５によれば、突起部６４が棒状部６０に対してＺ２側に折曲していることにより、突起部６４と棒状部５６−２の棒状部５６−１側と間の挟角部６６が、棒状部５６−２と棒状部６０との間に針ハリス２００を導入するための案内空間となり、また突起部６４が突起部４０に向かって形成されているので、突起部６４の先端側である挟角部６６の入出口の前方が、突起部４０により遮られており、このことにより、突起部４０よりも外側から、挟角部６６に向かって接近するものは、突起部４０に衝突し、挟角部６６内への侵入が阻止されるので、例えば、釣れた野鮎を玉網に取り込む際、水中糸や網糸が突起部６４に引っ掛かるおそれを小さくでき、水中糸や網糸が棒状部５６−２と棒状部６０との間に入り込んで絡まったり、網糸が絡まることにより玉網が破れる等の不具合の発生を防止することができる。
【００７７】
すなわち、針ハリス２００に設けられた針に野鮎が引っ掛かると、仕掛け具５の逆針１０はおとり鮎の尻びれから外れて、仕掛け具５は、中ハリス１００と針ハリス２００に固定されているのみであるので、釣り上げた野鮎が動くのに伴い仕掛け具５も動き、そのため、水中糸３５０が突起部６４に接近したり、玉網が突起部６４に接近するが、突起部４０が設けられているので、水中糸や玉網の網糸が突起部６４に引っ掛かって棒状部５６−２と棒状部６０間に挟まるおそれを小さくすることができる。
【００７８】
また、針ハリス２００をハリス止め部３０に取り付ける際には、例えば、ハリス止め部３０の側方から挟角部６６の入出口付近に針ハリス２００の先端側を差し入れた後、手元が狂って、針ハリス２００が突起部４０側に位置ズレしても、針ハリス２００は、突起部４０に衝突し、挟角部６６の入出口付近に押し留められているので、そこから針ハリス２００をハリス止め本体部３６の折り返し部５８側へ引き寄せることにより、針ハリス２００を棒状部５６−２と棒状部６０との間に引き入れることができるので、本実施例の仕掛け具は、簡単に針ハリスを取り付けることができ、使い勝手がよい。
【００７９】
また、針ハリス２００を突起部６４の先端と突起部４０との間の間隙に対して、その斜め上方から入れ、その後、針ハリス２００を降下させて、つまり、突起部６４の先端部を回りこませるようにして、針ハリス２００を挟角部部６６の入口付近に差し入れる場合にも、このように屈曲した取り回しの軌道（経路）の外側が、突起部４０と棒状部５６−１とにより、防護されていることにより、針ハリス２００が取り回しの軌道（経路）から外れてしまわず、突起部４０と棒状部５６−１とに沿って、挟角部６６の入口付近に案内されるので、そこから針ハリス２００をハリス止め本体部３６の折り返し部５８側へ引き寄せることにより、針ハリス２００を棒状部５６−２と棒状部６０との間に引き入れることができ、よって、本発明の仕掛け具は、簡単に針ハリスを取り付けることができ、使い勝手がよい。
【００８０】
また、逆針１０とハリス止め部３０とを筒状部２０に挿通した後に逆針１０を回転させて突状部１８をハリス止め部３０の挟角部５２の位置に配置し、突起部４０と棒状部５６−１に係止させることにより仕掛け具５として一体化できるので、逆針１０とハリス止め部３０との一体化を極めて容易に行うことができる。つまり、逆針１０を極めて容易にハリス止め部３０に取り付けることが可能となる。また、突状部１８を掛止するための専用部材を付加することなく、突状部１８の係止が可能であり、全体構成が簡潔であるので、材料費、加工費等の製造コストを低く抑えて、製品価格の低廉化を図ることができる。また、突起部４０と棒状部５６−１とが、同一平面に沿って形成され、互いに相反する向きに傾斜し、略くの字形状を呈しており、突状部１８がこのような突起部４０と棒状部５６−１に係止されていることにより、この仕掛け具５は、より簡単かつ確実に突状部１８を係止することができる。さらに、ハリス止め部３０が、１本の棒状部材を折曲して構成されているので、比較的安価な資材である金属製棒状部材を折曲加工することにより、その全体を形成することにより、製造コストをさらに低く抑えて、製品価格のさらなる低廉化を図ることができる。
【００８１】
また、逆針１０は上記のような構成を有しているので、低コストで製造することが可能である。さらに、仕掛け具５は、逆針１０と筒状部２０とハリス止め部３０とで構成され、筒状部２０は円筒状のチューブを利用できるので、低コストで製造することが可能である。
【００８２】
また、上記構成の仕掛け具５においては、逆針１０の突状部１８がハリス止め部３０に係止した状態となっているので、釣り時に逆針１０が引っ張られてもハリス止め部３０から容易に脱落することがない。また、逆針１０とハリス止め部３０とは別体に構成されるので、逆針１０について異なる形状の逆針を複数種類用意しておけば、ハリス止め部との組み合わせを自由に行うことができる。
【００８３】
なお、上記に示すハリス止め本体部３６において、図１２（ａ）に示すように、折曲部５４の構成を省略して、基端部５６を直線状の棒状の構成としてもよい。この場合においても、突起部６４の先端の延長線Ｃの近傍に突起部４０の先端が存在している。この場合でも、突起部４０のみならず基端部５６が筒状部２０の軸線方向に対して互いに反対方向に屈曲している（つまり、傾斜している）ことにより、図１２（ｂ）の構成の場合と比べて、突起部６４の先端と突起部４０の間の間隔を長く確保でき、針ハリスを突起部４０と突起部６４間の隙間に挿入しやすいという利点がある。なお、図１２（ａ）において、突起部４０の長さを若干長くして、突起部６４の先端の延長線Ｃ上に突起部４０が存在する構成としてもよい。
【００８４】
また、図１２（ｂ）に示すように、折曲部５０と折曲部５４の構成を省略して、基端部５６を直線状の棒状の構成とするとともに、基端部５６が、中子部３２の棒状部４２とともに直線状の棒状の構成としてもよい。この場合においても、突起部６４の先端の延長線Ｃの近傍に突起部４０の先端が存在している。なお、図１２（ｂ）において、突起部４０の長さを若干長くして、突起部６４の先端の延長線Ｃ上に突起部４０が存在する構成としてもよい。
【００８５】
また、棒状部５６−２と棒状部６０とは、針ハリス２００の外形寸法よりも狭小の間隔を置いて近接しているとしたが、棒状部５６−２に棒状部６０が密接した状態にしてもよい。
【００８６】
また、逆針１０において、突状部１８は、本体部１２の形成方向に対して直角のＹ１方向に形成されているとしたが、Ｙ１方向とは逆のＹ２方向に形成してもよい。また、突状部１８は、棒状部１４に対して直角（略直角としてもよい）の方向で、本体部１２の形成方向と同一の方向（つまり、Ｚ２方向又はＺ１方向）に形成してもよい。さらに、棒状部１４に対して直角（略直角としてもよい）の方向（つまり、Ｘ１−Ｘ２方向に対して直角（略直角としてもよい）の方向）であれば、いずれの方向でもよい。ただし、上記のように、本体部１２の形成方向に対して直角の方向（つまり、Ｙ１又はＹ２の方向）とした方が、逆針１０の本体部１２の形成方向とハリス止め部３０の形成方向を合わせることができるので、好ましいといえる。突状部１８の形成方向に関して、直角又は略直角とした点については、若干鋭角の角度としてもよい。
【００８７】
また、中子部３２は、棒状部４２と折り返し部４４と棒状部４６とを有するとしたが、中子部３２を全体に前後方向に伸びた板状部材で、縦断面が縦長の矩形を呈する板状部材より構成してもよい。その場合には、例えば、突起部４０やハリス止め本体部３６を該中子部３２に溶接することにより構成する。
【００８８】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【符号の説明】
【００８９】
５  仕掛け具
１０  逆針
１２  本体部
１４  棒状部
１６  先端部
１８  突状部
２０  筒状部
２０ａ、２０ｂ  開口端
３０  ハリス止め部
３２  中子部
３４  連結部
３６  ハリス止め本体部
４０、６４  突起部
４２、４６、５６−１、５６−２、６０  棒状部
４４、５８  折り返し部
４８、５０、５４、６２  折曲部
５２、６６  挟角部
５６  基端部
【図１】
2015139381.tif 000003
【図２】
2015139381.tif 000004
【図３】
2015139381.tif 000005
【図４】
2015139381.tif 000006
【図５】
2015139381.tif 000007
【図６】
2015139381.tif 000008
【図７】
2015139381.tif 000009
【図８】
2015139381.tif 000010
【図９】
2015139381.tif 000011
【図１０】
2015139381.tif 000012
【図１１】
2015139381.tif 000013
【図１２】
2015139381.tif 000014